【誤訳訂正書】
【提出日】平成25年11月5日(2013.11.5)
【誤訳訂正１】
【訂正対象書類名】明細書
【訂正対象項目名】全文
【訂正方法】変更
【訂正の内容】
【発明の詳細な説明】
【発明の名称】Ｍ２Ｍユーザ装置のオペレーション制御方法、システム及びＭ２Ｍユーザ装置
【技術分野】
【０００１】
本発明は、２００９年７月１５日出願の中国特許出願第２００９１０１５１９９９．９号「Ｍ２Ｍユーザ装置のオペレーション制御方法、システム及びＭ２Ｍユーザ装置」の優先権を主張するものであり、その内容はすべてここに組み込まれるものとする。
【０００２】
本発明は、無線通信技術分野に関し、特にマシン間（Ｍａｃｈｉｅｎｅ−ｔｏ−Ｍａｃｈｉｅｎｅ）アプリケーションのユーザ装置のオペレーション制御方法、システムおよびユーザ装置に関する。
【背景技術】
【０００３】
マシン通信（ＭＴＣ：Ｍａｃｈｉｎｅ  Ｔｙｐｅ  Ｃｏｍｍｕｎｉｃａｔｉｏｎ）のアプリケーションは、人間が参加しない、一以上のネットワーク要素間で実行されるネットワーク通信を意味し、つまりマシン間通信（Ｍ２Ｍ：Ｍａｃｈｉｎｅ  Ｔｏ  Ｍａｃｈｉｎｅ）アプリケーションであり、例えばトラフィック制御および管理、企業におけるマシンと装置のモニタリング、遠隔計測（検針）等である。移動通信ネットワークは多くのＭＴＣアプリケーションにおいて非常に有利である。しかしながら、現在の移動通信ネットワークは主に、人間間の通信（Ｈ２Ｈ：Ｈｕｍａｎ  Ｔｏ  Ｈｕｍａｎ）アプリケーションに対する最適化や構造はあっても、Ｍ２Ｍや、Ｍ２Ｈ、Ｈ２Ｍアプリケーションに対する最適化や構造は少ない。ＭＴＣアプリケーションでは、同じＭＴＣアプリケーションを有する複数のＭ２ＭＥが一単位（全体）を構成し、それを簡単にグループと呼んでいる。ネットワークオペレータや企業ユーザはグループをまとめて管理し、制御することができ、また、異なるグループを区別するグループ・アイデンティティ（識別子）で各グループを識別し、グループ同士を区別することができる。たとえば、電力業界での遠隔検針アプリケーションでは、ある地域のすべての電気検針を一つのグループとし、ネットワークオペレータや業界のユーザはグループをひとまとめとして、モビリティ（移動）管理の最適化を行ったり、グループへのアクセス管理を行ったりすることができる。ＭＴＣアプリケーション・システム構造には主に、モビリティ管理ネットワーク要素、ＭＴＣサーバ、アクセス・ネットワーク要素及びＨＳＳなどのいくつかの論理機能エンティティが含まれる。モビリティ管理ネットワーク要素は、ＮＡＳシグナリングやＮＡＳシグナリングの暗号化、及び、ローミング、トラッキング、ユーザへの仮の識別子の付与等の機能や、セキュリティ機能を果たす。ＭＴＣアプリケーション・サーバには、ユーザ装置ＵＥおよび／またはグループに関するデータや情報が保存されている。ＨＳＳ（Ｈｏｍｅ  Ｓｕｂｓｃｒｉｂｅｒ  Ｓｅｒｖｅｒ：ホーム加入者サーバ）には主に、ＵＥやグループに関する加入者データが保存されており、ＵＥの加入者データは個々の各ＵＥの加入者データを意味し、グループの加入者データはグループにおける共通データまたはグループのＵＥの加入者データを意味する。
【発明の概要】
【発明が解決しようとする課題】
【０００４】
従来技術においては、ＵＥのスイッチが入るとＵＥは利用可能なネットワークを選択してネットワークに登録し、ネットワーク側はＵＥが登録されていない状態ではＵＥに指示やデータを何も送ることができない。
【０００５】
Ｍ２Ｍアプリケーションには、従来のＨ２Ｈのメカニズムは適用することができない。たとえば、Ｍ２Ｍアプリケーションに適用可能な多くのＵＥは、接触することができない領域や環境に設置されており、Ｍ２Ｍアプリケーションは広範に亘り多くのＵＥを備えている。したがって、ＵＥのスイッチを手動で入れたり切ったりするのは効率の良い実用的な方法ではない。これはＭ２ＭアプリケーションのほとんどのＵＥは、長時間にわたってＯＮ状態であるからである。Ｍ２Ｍアプリケーションの多くのＵＥによるネットワーク側への影響を減らすために、オペレータはＵＥのふるまいを制御しようとする。たとえば、ネットワーク側でＵＥを制御して特定の時間にネットワークに登録させたり、またはネットワーク側でＵＥを制御して特定の時間にサービス操作を実行させたり、ネットワーク側でＵＥを制御して特定の時間に加入者データの有効化を実行させたりしようとする。結果、多くの場合、ＵＥはスイッチを入れたときにはネットワークに登録せず、またはＵＥが任意の時間にサービスや加入者データの有効化を実行しないので、従来技術では現在のＭ２Ｍアプリケーションの要件を満足することできない。
【課題を解決するための手段】
【０００６】
本発明の実施形態では、ネットワーク側からＵＥにオペレーションの実行を指示することができるＭ２Ｍユーザ装置のオペレーション制御方法、システム及びＭ２Ｍユーザ装置を提供する。
【０００７】
本発明の一実施形態によるマシン間通信（Ｍ２Ｍ）アプリケーションにおけるユーザ装置のオペレーション制御方法は、
ネットワーク側から送信されるオペレーション指示を含む情報を受信し、前記オペレーション指示が、ユーザ装置ＵＥもしくはグループ内のユーザ装置ＵＥに登録の実行を指示する指示、ユーザ装置ＵＥもしくはグループ内のユーザ装置ＵＥに加入者データの有効化を指示する指示、またはユーザ装置ＵＥもしくはグループ内のユーザ装置ＵＥにサービスデータの伝送を指示する指示の少なくとも一つを含み、
ユーザ装置ＵＥまたはグループ内のユーザ装置ＵＥが受信したオペレーション指示にしたがってオペレーションを実行するステップと、を備える。
【０００８】
本発明の一実施形態によるマシン間通信（Ｍ２Ｍ）アプリケーションのユーザ装置は、
ネットワーク側から送信されるオペレーション指示を受信するように構成された第一の受信ユニットであって、前記オペレーション指示がユーザ装置ＵＥもしくはグループ内のＵＥに登録の実行を指示する指示、ユーザ装置ＵＥもしくはグループ内のＵＥに加入者データの有効化を指示する指示、またはユーザ装置ＵＥもしくはグループ内のＵＥにサービスデータの伝送を指示する指示の少なくとも一つを含む,
第一の受信ユニットと、
受信した前記オペレーション指示にしたがってオペレーションを実行するように構成されたオペレーティング・ユニットと、を備える。
【０００９】
本発明の一実施形態によるサーバは、
Ｍ２Ｍユーザ装置ＵＥまたはグループ内のユーザ装置にオペレーションの実行を指示するオペレーション指示要求を開始するように構成された情報生成ユニットであって、前記オペレーション指示が、Ｍ２Ｍユーザ装置ＵＥもしくはグループ内のＭ２Ｍユーザ装置ＵＥに登録の実行を指示する指示、ユーザ装置ＵＥもしくはグループ内のユーザ装置ＵＥに加入者データの有効化を指示する指示、またはＭ２Ｍユーザ装置ＵＥもしくはグループ内のＭ２Ｍユーザ装置ＵＥにサービスデータの伝送を指示する指示の少なくとも一つを含む、情報生成ユニットと、
前記オペレーション指示を送信するように構成された送信ユニットと、を備える。
【００１０】
本発明の一実施形態によるユーザ装置のオペレーション制御システムは、
ユーザ装置ＵＥまたはグループ内のＵＥにオペレーションを実行するように指示するオペレーション指示要求を開始するように構成されたサーバと、
ユーザ装置ＵＥまたはグループ内のＵＥの位置情報にしたがってマルチメディア・ブロードキャスト／マルチキャスト−サービス・ゲートウェイ（ＭＢＭＳ−ＧＷ：Ｍｕｌｔｉｍｅｄｉａ  Ｂｒｏａｄｃａｓｔ／Ｍｕｌｔｉｃａｓｔ−Ｓｅｒｖｉｃｅ  Ｇａｔｅｗａｙ）を検知し、オペレーション指示要求をサーバから受信した後、前記ＭＢＭＳ−ＧＷに要求メッセージを送信するように構成されたブロードキャスト／マルチキャスト−サービス・センタ（ＢＭ−ＳＣ：Ｂｒｏａｄｃａｓｔ／Ｍｕｌｔｉｃａｓｔ−Ｓｅｒｖｉｃｅ  Ｃｅｎｔｒｅ）と、
ユーザ装置ＵＥまたはグループ内のＵＥの位置情報にしたがってマルチメディア・ブロードキャスト／マルチキャスト−サービス（ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ）制御プレーン・エンティティまたはＭＢＭＳ制御プレーン・エンティティ・リストを検知し、前記ＭＢＭＳ制御プレーン・エンティティまたは前記ＭＢＭＳ制御プレーン・エンティティ・リスト内のすべてのＭＢＭＳ制御プレーン・エンティティにマルチキャスト・アドレスを付与し、前記要求メッセージを送信するように構成された前記ＭＢＭＳ−ＧＷと、
ユーザ装置ＵＥまたはグループ内のＵＥに対応するアクセス・ネットワーク要素に要求メッセージを送信するように構成された前記ＭＢＭＳ制御プレーン・エンティティであって、前記メッセージが、ＩＰマルチキャスト・アドレスおよび前記ユーザ装置ＵＥの識別子を備えるか、または前記メッセージがＩＰマルチキャスト・アドレスおよび前記グループの識別子を備える前記ＭＢＭＳ制御プレーン・エンティティと、
前記マルチキャスト・アドレスにしたがって、前記オペレーション指示をユーザ装置ＵＥまたはグループ内のＵＥに送信するように構成された前記アクセス・ネットワーク要素と、を備え、
前記オペレーション指示が、ユーザ装置ＵＥもしくはグループ内のユーザ装置ＵＥに登録の実行を指示する指示、ユーザ装置ＵＥもしくはグループ内のＵＥに加入者データの有効化を指示する指示、またはユーザ装置ＵＥもしくはグループ内のＵＥにサービスデータの伝送を指示する指示の少なくとも一つを含む。
【００１１】
本発明の他の一実施形態によるユーザ装置のオペレーション制御システムは、ユーザ装置ＵＥまたはグループ内のユーザ装置にオペレーションを実行するように指示するオペレーション指示要求を開始し、ユーザ装置ＵＥまたはグループ内のＵＥにサービスを提供するセル・ブロードキャスト・エンティティ（ＣＢＥ：Ｃｅｌｌ  Ｂｒｏａｄｃａｓｔ  Ｅｎｔｉｔｙ）を検知し、前記ＣＢＥにオペレーション指示要求を送信するように構成されたサーバと、
サーバから前記オペレーション指示要求を受信し、ユーザ装置ＵＥまたはグループ内のＵＥの位置情報にしたがってセル・ブロードキャスト・センタ（ＣＢＣ：Ｃｅｌｌ  Ｂｒｏａｄｃａｓｔ  Ｃｅｎｔｅｒ）を選択し、前記ＣＢＣにオペレーション指示要求を送信するように構成された前記ＣＢＥと、
ＣＢＥからのオペレーション指示要求を受信し、ユーザ装置ＵＥまたはグループ内のＵＥの位置情報にしたがってモビリティ管理ネットワーク要素またはモビリティ管理ネットワーク要素識別子リスト内のすべてのモビリティ管理ネットワーク要素を判断し、判断した前記モビリティ管理ネットワーク要素またはモビリティ管理ネットワーク要素識別子リスト内のすべてのモビリティ管理ネットワーク要素にオペレーション指示要求を送信するように構成された前記ＣＢＣと、
前記ＣＢＣからのオペレーション指示要求を一つのアクセス・ネットワーク要素あるいはアクセス・ネットワーク要素リスト内のすべてのアクセス・ネットワーク要素に送信するように構成された前記モビリティ管理ネットワーク要素であって、前記一つのアクセス・ネットワーク要素またはアクセス・ネットワーク要素リスト内のすべてのアクセス・ネットワーク要素がＵＥあるいはグループ内のＵＥにサービスを提供することができるとともに、前記メッセージがオペレーション指示と、ＵＥ識別子およびグループ識別子の少なくとも一方を含む、前記モビリティ管理ネットワーク要素と、
前記オペレーション指示をユーザ装置ＵＥまたはグループ内のＵＥに送信するように構成された前記アクセス・ネットワーク要素と、を備え、
前記オペレーション指示が、ユーザ装置ＵＥもしくはグループ内のユーザ装置ＵＥに登録の実行を指示する指示、ユーザ装置ＵＥもしくはグループ内のユーザ装置ＵＥに加入者データの有効化を指示する指示、またはユーザ装置ＵＥもしくはグループ内のユーザ装置ＵＥにサービスデータの伝送を指示する指示の少なくとも一つを含む。
【発明の効果】
【００１２】
以上の説明から、本発明の実施形態による技術解決策では、ネットワーク側からオペレーション指示を含む情報をＭ２Ｍユーザ装置ＵＥあるいはグループ内のＵＥに送り、オペレーション指示には、ユーザ装置ＵＥもしくはグループ内のユーザ装置ＵＥに登録の実行を指示する指示、ユーザ装置ＵＥもしくはグループ内のユーザ装置ＵＥに加入者データの有効化を指示する指示、またはユーザ装置ＵＥもしくはグループ内のユーザ装置ＵＥにサービスデータの伝送の指示する指示の少なくとも一つが含まれ、ユーザ装置はオペレーション指示を受け取ると、オペレーション指示にしたがってオペレーションを実行する。ネットワーク側はオペレーションを実行するようにユーザ装置を制御して、ユーザ装置に、いつでも、登録、加入者情報の有効化またはサービスデータの伝送等のオペレーションの実行を指示することができる。ＵＥまたはグループ内のＵＥは休止状態、または非登録状態であってよく、多くのユーザ装置ＵＥによるネットワーク側への影響を低減し、ネットワーク・リソースの利用率を大幅に改善するとともに、現在のＭ２Ｍアプリケーションの要件を満たすことができる。オペレーション指示の送出や実行に人間が介する必要はないので、オペレータやユーザに便利かつ効率的なサービスを提供することができる。
【図面の簡単な説明】
【００１３】
【図１】本発明の第１の実施形態によるユーザ装置のオペレーション制御方法のフローチャートである。
【図２】本発明の第２の実施形態によるユーザ装置のオペレーション制御方法のフローチャートである。
【図３】本発明の第３の実施形態によるユーザ装置のオペレーション制御方法のフローチャートである。
【図４】本発明の第４の実施形態によるユーザ装置のオペレーション制御方法のフローチャートである。
【図５】本発明の実施形態によるユーザ装置の構造図である。
【図６】本発明の実施形態によるユーザ装置のオペレーション制御システムの構造を示す模式図である。
【図７】本発明の一実施形態によるユーザ装置の他のオペレーション制御システムの構造を示す模式図である。
【図８】本発明の一実施形態によるユーザ装置の更に他のオペレーション制御システムの構造を示す模式図である。
【発明を実施するための形態】
【００１４】
Ｍ２Ｍアプリケーションにおいて多くのユーザ装置ＵＥによるネットワーク側への影響を低減するため、オペレーションまたはユーザは、現在のＭ２Ｍアプリケーションの要件を満たすようＵＥのオペレーションを制御する必要がある。したがって、本発明の一実施形態では、要求に応じてユーザ装置ＵＥまたはグループ内のユーザ装置ＵＥが対応するオペレーション、たとえば、登録、加入者データの有効化、サービスデータの伝送を実行するように指示することができるユーザ装置のオペレーション制御方法を提供する。オペレーション指示を受信すると、ユーザ装置はオペレーション指示にしたがってオペレーションを実行する。「グループ内のＵＥ」とはグループ内のいくつかのＵＥまたはグループ内のすべてのＵＥを意味する。「サービスデータの伝送」とはサービスデータの送信もしくは受信、またはサービス・リソースの作成もしくは変更を意味しうる。
【００１５】
本発明の実施形態における「ユーザ装置ＵＥ」はマシン間通信アプリケーション装置（Ｍ２ＭＥ：Ｍａｃｈｉｎｅ  Ｔｏ  Ｍａｃｈｉｎｅ  Ｅｑｕｉｐｍｅｎｔ）を意味し、Ｍ２ＭＥはＭ２Ｍアプリケーション装置の一般的な名称である。本明細書では「ユーザ装置ＵＥ」を、Ｍ２Ｍアプリケーション装置を代表するものとして用いる。
【００１６】
マシン通信のユーザ（つまりＭ２Ｍユーザ）またはオペレータが、一つのＵＥまたはグループ内の一つのＵＥにオペレーション指示を送り、該ＵＥまたはグループ内のＵＥがサービスデータ伝送、移動管理プロセス、またはオペレーション指示によるセッション管理プロセスを開始する（本発明の実施形態では、オペレーション指示は、ネットワーク側がＵＥまたはグループ内のＵＥにモビリティ管理プロセス、セッション管理プロセスまたはサービスデータ伝送を開始するように指示することを意味し、たとえば、ＵＥもしくはグループ内のＵＥに加入者データの有効化を実行するように指示する指示、ＵＥもしくはグループ内のＵＥに登録を実行するように指示する指示、またはＵＥもしくはグループ内のＵＥにサービスデータの伝送を実行するように指示する指示を意味する）。ＵＥまたはグループ内のＵＥにサービスデータの伝送を実行するように指示する指示とは、ＵＥもしくはグループ内のＵＥがサービスデータを送受信したり、またはＵＥもしくはグループ内のＵＥがネットワーク・リソースを作成したり変更したりするためのセッション管理プロセス（たとえば、ＰＤＰコンテキスト有効化プロセス、ＰＤＰコンテキスト変更プロセス、ＰＤＮ接続確立プロセス、またはリソース作成もしくは変更プロセス）を開始したりすることを指す。
【００１７】
Ｍ２Ｍユーザまたはオペレータが、ＵＥまたはグループ内のＵＥによるあるオペレーションの実行を要求すると、ネットワーク側はＵＥまたはグループ内のＵＥにオペレーション指示を送信し、ＵＥまたはグループ内のＵＥはオペレーション指示を取得して、オペレーション指示にしたがって対応するオペレーションを実行する。本発明の実施形態では、オペレーション指示は、ＵＥもしくはグループ内のＵＥに登録の実行を指示する指示、ＵＥまたはグループ内のＵＥに加入者データの有効化を指示する指示、またはＵＥもしくはグループ内のＵＥにサービスデータ伝送の実行を指示する指示のうち、いずれか一つ以上であってよい。
【００１８】
たとえば、Ｍ２Ｍユーザまたはオペレータは、ＵＥまたはグループ内のＵＥにネットワークへの登録を指示する（ＵＥまたはグループ内のＵＥがホームＰＬＭＮに登録したり、ＵＥまたはグループ内のＵＥが代替（ｒｅｐｌａｃｅｄ）ＰＬＭＮに登録したりすることを含む）。ネットワーク側はオペレーション指示をＵＥまたはグループ内のＵＥに送り、該オペレーション指示は、ＵＥまたはグループ内のＵＥに登録を実行するように指示する指示である。具体的には、ネットワーク側はＵＥまたはグループ内のＵＥにオペレーション指示を含む情報を送り、該オペレーション指示は、ＵＥまたはグループ内のＵＥに登録を実行するように指示する指示であり、ＵＥまたはグループ内のＵＥは対応するＰＬＭＮを選択し、登録を実行する。さらに、ＰＬＭＮ識別子を、ＵＥまたはグループ内のＵＥに登録を実行するように指示する指示として採用することもできる。具体的には、ネットワーク側（本発明の実施形態では、ネットワーク側はＭＴＣサーバ、モビリティ管理ネットワーク要素、アクセス・ネットワーク、ＨＳＳ、またはポリシーやデータを送出するように構成された他のサーバを意味し得る）はＰＬＭＮ識別子をＵＥまたはグループ内のＵＥに送り、ＵＥまたはグループ内のＵＥがホームＰＬＭＮまたは代替ＰＬＭＮを選択し登録を実行する。
【００１９】
本発明の実施形態では、オペレーション指示に複数の形式がある。ＵＥまたはグループ内のＵＥに登録を実行するように指示する指示には、複数の形式を挙げることができ、たとえば、登録指示（Ｒｅｇｉｓｔｅｒ  ｉｎｄｉｃａｔｉｏｎ）、リアルタイム・トリガー・メッセージ（ｒｅａｌ−ｔｉｍｅ  ｔｒｉｇｇｅｒｅｄ  ｍｅｓｓａｇｅ）、またはＵＥもしくはグループ内のＵＥに登録の実行を指示する要求メッセージＲｅｇｉｓｔｅｒ  Ｒｅｑｕｅｓｔ等である。さらに、オペレーション指示を含む情報は、時間、時間帯、またはイベントを含んでもよく、ユーザ装置またはグループ内のユーザ装置ＵＥは、その時間、時間帯、またはイベントをきっかけに登録を実行する。ＵＥまたはグループ内のユーザ装置ＵＥに加入者データ有効化の実行を指示する指示には複数の形式がありえ、たとえば、加入者データ有効化指示（Ｓｕｂｓｃｒｉｂｅｒ  Ｄａｔａ  Ａｃｔｉｖａｔｅｄ  ｉｎｄｉｃａｔｉｏｎ）、特定の時間、特定の時間内、もしくは特定のイベントをきっかけにＵＥもしくはグループ内のＵＥに加入者データの有効化を指示する加入者データ有効化トリガ（Ｓｕｂｓｃｒｉｂｅｒ  Ｄａｔａ  Ａｃｔｉｖａｔｅｄ  Ｔｒｉｇｇｅｒ）、または加入者データ有効化要求（Ｓｕｂｓｃｒｉｂｅｒ  Ｄａｔａ  Ａｃｔｉｖａｔｅｄ  Ｒｅｑｕｅｓｔ）等である。ＵＥまたはグループ内のＵＥにサービスデータ伝送を開始させる指示にも複数の形式があり得、たとえば、サービス開始指示（Ｓｅｒｖｉｃｅ  Ｉｎｉｔｉａｔｅｄ  ｉｎｄｉｃａｔｉｏｎ）、サービス開始要求（Ｓｅｒｖｉｃｅ  Ｉｎｉｔｉａｔｅｄ  Ｒｅｑｕｅｓｔ）または特定の時間、特定の時間内、もしくは特定のイベントをきっかけにＵＥもしくはグループ内のＵＥにサービスデータ伝送の開始を指示するサービス開始トリガ（Ｓｅｒｖｉｃｅ  Ａｃｔｉｖａｔｅｄ  Ｔｒｉｇｇｅｒ）等である。
【００２０】
本発明の一実施形態によるＭ２Ｍユーザ装置のオペレーション制御方法は、ネットワーク側により送信される、オペレーション指示を含む情報を受信することを含み、該オペレーション指示は、ユーザ装置ＵＥもしくはグループ内のユーザ装置ＵＥに登録を実行するように指示する指示、ユーザ装置もしくはグループ内のユーザ装置ＵＥに加入者データを有効化するように指示する指示、またはユーザ装置またはグループ内のユーザ装置にサービスデータ伝送を実行するように指示する指示のうち少なくとも一つを含む。
【００２１】
オペレーション指示を含む情報は、ページング要求や非アクセス層（ＮＡＳ：Ｎｏｎ−Ａｃｃｅｓｓ−Ｓｔｒａｔｕｍ）メッセージなどのメッセージ、他のフォーマットのコマンド情報やデータ・パケットであってもよい。
【００２２】
オペレーション指示を受信すると、ユーザ装置ＵＥまたはグループ内のユーザ装置ＵＥがオペレーション指示によるオペレーションを実行する。
【００２３】
オペレーション指示は、ユーザ装置ＵＥにページング要求メッセージ、ＮＡＳメッセージ、オープンモバイルアライアンスデバイス管理（ＯＭＡ  ＤＭ：Ｏｐｅｎ  Ｍｏｂｉｌｅ  Ａｌｌｉａｎｃｅ  Ｄｅｖｉｃｅ  Ｍａｎａｇｅｍｅｎｔ）方式、Ｏｖｅｒ−ｔｈｅ−Ａｉｒ（ＯＴＡ）、マルチキャストまたはブロードキャスト方式を通じて送信される。オペレーション指示の送信に加えて、ネットワーク側はまた、公衆移動体網（ＰＬＭＮ：Ｐｕｂｌｉｃ  Ｌａｎｄ  Ｍｏｂｉｌｅ  Ｎｅｔｗｏｒｋ）識別子をＵＥまたはグループ内のＵＥに送信することができ、ＰＬＭＮ識別子を使用して、ＰＬＭＮ識別子に対応する移動通信ネットワークにおける登録、加入者データの有効化またはサービスデータ伝送を含むオペレーションの実行をＵＥまたはグループ内のＵＥに指示する。
【００２４】
ネットワーク側がオペレーション指示を含む情報を送るとき、オペレーション指示を含む情報はさらにＵＥアドレッシング情報を含み、ＵＥアドレッシング情報は、オペレーション指示によるオペレーションを実行する必要があるユーザ装置ＵＥまたはグループ内のユーザ装置ＵＥをアドレッシング（アドレス指定）するために使用される。
【００２５】
ＵＥアドレッシング情報は、ユーザ装置識別子、グループ識別子、ＩＰアドレスおよびマルチキャスト・アドレスの少なくとも一つを含む。
【００２６】
ユーザ装置に、ＰＬＭＮ識別子とオペレーション指示を一緒に送ることができる。たとえば、ＰＬＭＮ識別子を、ネットワーク側からユーザ装置に送信するオペレーション指示要求メッセージに含めることができるが、いうまでもなく、本発明の実施形態からはＰＬＭＮ識別子を単体で追加送信する状況は排除されない。
【００２７】
ユーザ装置ＵＥは、ＰＬＭＮ識別子に対応する移動通信ネットワークにおいてオペレーション指示によるオペレーションを実行する。
【００２８】
さらに、オペレーション指示を受信すると、ＵＥまたはグループ内のＵＥはネットワーク側に、ＵＥまたはグループ内のＵＥがオペレーション指示を受信したことを通知する。
【００２９】
ユーザ装置ＵＥがオペレーション指示を受信していない場合、非登録状態、加入者データ非有効化状態、またはサービス非開始状態の少なくとも一つを含むユーザ装置ＵＥまたはグループ内のＵＥの対応する状態が設定され、および／またはネットワーク側がオペレーション指示をユーザ装置ＵＥに再送する。
【００３０】
サーバはオペレーション指示要求メッセージを送った後、タイマを作動させ、
タイマに設定した時間内に、サーバが、モビリティ管理ネットワーク要素が送信したオペレーション指示応答メッセージを受信しない、又は
サーバが、モビリティ管理ネットワーク要素が送信したオペレーション指示応答メッセージを受け取り、その応答メッセージが、ＵＥもしくはグループ内のＵＥがオペレーション指示を受信していないことを示す指示情報を含んでいる、又は
所定の時間内にサーバが、対応するＵＥもしくはグループ内のＵＥから送信されたオペレーション指示を受信したことを示す確認情報を受信しない場合、
サーバは、オペレーション指示が対応するＵＥもしくはグループ内のＵＥに送信されていないと判定する。
【００３１】
本発明の実施形態の原理や特徴をより明確にするために、本発明の実施形態を以下の特定の実施例を参照して詳細に説明する。
【００３２】
＜第１の実施形態＞
Ｍ２Ｍユーザまたはオペレータが特定のオペレーションの実行をＵＥまたはグループ内のＵＥに指示する必要がある場合、ネットワーク側はＵＥまたはグループ内のＵＥにオペレーション指示を送信し、ＵＥまたはグループ内のＵＥがオペレーション指示を得て、オペレーション指示に従って登録、加入者データ有効化およびサービスデータ伝送などオペレーション指示に対応する操作を実行する。
【００３３】
図１を参照すると、Ｍ２Ｍユーザ装置の本発明の一実施形態によるオペレーション制御方法は以下のステップを含む。
【００３４】
Ｓ１０１：サーバがモビリティ管理ネットワーク要素にオペレーション指示を含む情報を送信する。
【００３５】
ここで、オペレーション指示を含む情報は、ページング要求メッセージ、非アクセス層（ＮＡＳ）メッセージ等のメッセージとすることができ、または他の形式のコマンド情報やデータ・パケットとすることができる。
【００３６】
本発明の実施形態では、サーバはＭＴＣサーバやＨＳＳなどのサーバを意味し得る。本発明の実施形態では、ＭＴＣサーバは、Ｍ２Ｍアプリケーション・サーバであり、サーバにはＵＥやグループについてのデータや情報を含む。本発明の実施形態では、ＵＥやグループの位置情報、グループ識別子、グループ内のＵＥの識別子、ＵＥもしくはグループの登録状態、または加入者データ有効化状態をすべてＭＴＣサーバに保存することができ、また、ＭＴＣサーバはＭ２Ｍの企業ユーザやオペレータがオペレーション指示を送るのに使用するサーバとすることができる。本発明の実施形態は、サーバの名称を限定するものではなく、ＭＴＣサーバをサーバと呼んだり、ＵＥまたはグループ内のＵＥの加入者データを管理するＨＳＳをサーバと呼んだりすることができる。
【００３７】
ユーザ装置ＵＥにオペレーションの実行を要求するオペレータやＭ２Ｍユーザの要求により、オペレーション指示はＵＥまたはグループ内のＵＥに送信され、オペレーション指示を使用して、ユーザ装置ＵＥに対応するオペレーションの実行を指示する。サーバがオペレーション指示を一つのユーザ装置ＵＥに送る場合、メッセージには、ＵＥ識別子（たとえば、ＩＭＳＩ）とオペレーション指示が含まれる。サーバがオペレーション指示をグループ内のＵＥに送信する場合、メッセージにはグループ識別子（たとえば、Ｇｒｏｕｐ  ＩＤまたはＩＭＳＩ）とオペレーション指示が含まれる。
【００３８】
具体的には、サーバがオペレーション指示を含む情報をモビリティ管理ネットワーク要素に送信する。そのメッセージは、サーバがモビリティ管理ネットワーク要素にオペレーション指示を送信することを示すメッセージである。オプションとして、メッセージには、ＵＥまたはグループ内のＵＥに登録、加入者データ有効化、またはサービスデータ伝送などのオペレーションのＰＬＭＮでの実行を指示するのに使用するＰＬＭＮ識別子が含まれる。本発明の実施形態では、メッセージのタイプや名称は限定されず、たとえば、メッセージはオペレーション指示要求メッセージ、加入者データ挿入応答、位置更新確認（Ｕｐｄａｔｅ  Ｌｏｃａｔｉｏｎ  Ａｃｋ）とすることができる。
【００３９】
あるいは、サーバがＵＥまたはグループ内のＵＥにオペレーション指示をｖｅｒ−Ｔｈｅ−Ａｉｒ（ＯＴＡ）方式で送信する。ＯＴＡはＵＥとサーバとの間で無線インターフェースに基づく情報データのやりとりを実行して遠隔でのＵＥデータの管理を実現する技術である。具体的に、サーバが、ＵＥまたはグループ内のＵＥの位置情報に基づきＵＥまたはグループ内のＵＥの使用するモビリティ管理ネットワーク要素またはモビリティ・管理・ネットワーク要素識別子リストを判断する（具体的な実現方法は以下に詳細に例示される）。サーバは、モビリティ管理ネットワーク要素にまたはモビリティ管理ネットワーク要素識別子リストにおけるすべてのモビリティ管理ネットワーク要素にオペレーション指示を送信し、モビリティ管理ネットワーク要素は、ＵＥまたはグループ内のＵＥにオペレーション指示を送信する。あるいは、サーバがＵＥまたはグループ内のＵＥの位置情報に基づきＵＥまたはグループ内のＵＥの使用するサービス提供ゲートウェイまたはゲートウェイリストを判断する。サーバは、オペレーション指示をゲートウェイまたはゲートウェイリストのすべてのゲートウェイに送信する。ゲートウェイはデータ・プレーンを通じてＵＥまたはグループ内のＵＥにオペレーション指示を送信する。
【００４０】
オプションとして、サーバがタイマを起動することもできる。このタイマは、ＵＥまたはグループ内のＵＥが、サーバが送ったオペレーション指示を受信したかサーバが判定するためのタイマである。サーバが送った内容をＵＥまたはグループ内のＵＥが受け取っていない場合、サーバがＵＥまたはグループ内のＵＥの状態を、非登録状態（オペレーション指示がＵＥもしくはグループ内のＵＥに登録の実行を指示する指示情報の場合）、非有効化状態（オペレーション指示がＵＥもしくはグループ内のＵＥに加入者データ有効化を指示する指示情報の場合）、またはサービス非開始状態（オペレーション指示がＵＥもしくはグループ内のＵＥにサービスデータの伝送を指示する指示情報の場合）として設定することができる。ＵＥまたはグループ内のＵＥがオペレーション指示を受信していないことをサーバが検知する方法は、サーバが、モビリティ管理ネットワーク要素が送るオペレーション指示応答メッセージを受信していない、モビリティ管理ネットワーク要素が送るオペレーション指示応答を使用してＭＴＣサーバにＵＥまたはグループ内のＵＥがオペレーション指示を受信していないことを通知する、または、サーバが、対応するＵＥまたはグループ内のユーザ装置ＵＥが送る確認データ・パケットを受信しないこと、であってよい。タイマは、ネットワーク側が送ったオペレーション指示をＵＥまたはグループ内のＵＥが受信することを保証することができ、同時にネットワーク・リソースの無駄を避けることができる。
【００４１】
本発明のこの実施形態では、モビリティ管理ネットワーク要素が、Ｅ−ＵＴＲＡＮネットワークのモバイル管理エンティティ（ＭＭＥ：Ｍｏｂｉｌｅ  Ｍａｎａｇｅｍｅｎｔ  Ｅｎｔｉｔｙ）、またはＵＴＲＡＮ／ＧＥＲＡＮネットワークにおけるサービングＧＰＲＳサポートノード（ＳＧＳＮ：Ｓｅｒｖｉｎｇ  ＧＰＲＳ  Ｓｕｐｐｏｒｔ  Ｎｏｄｅ）、またはＷＬＡＮネットワークのｅＰＤＧにおけるモビリティ管理論理機能エンティティ、またはＷｉｍａｘネットワークにおける自動スイッチングノードゲートウェイ（ＡＳＮ  ＧＷ：Ａｕｔｏｍａｔｉｃ  Ｓｗｉｔｃｈｉｎｇ  Ｎｏｄｅ  ＧａｔｅＷａｙ）、またはＣＤＭＡネットワークの高レートパケットデータアクセスネットワーク（ＨＲＰＤ  ＡＮｈｉｇｈ  ｒａｔｅ  ｐａｃｋｅｔ  ｄａｔａ  ａｃｃｅｓｓ  ｎｅｔｗｏｒｋ）におけるモビリティ管理論理機能エンティティとすることができる。サーバが一つのＵＥにオペレーション指示を送信すると、その要求メッセージには、ＵＥ識別子（たとえば、ＩＭＳＩ）とオペレーション指示が含まれる。サーバがグループ内のＵＥにオペレーション指示を送信する場合、メッセージには、グループ識別子（たとえば、グループＩＤまたはＩＭＳＩ）とオペレーション指示が含まれる。更にメッセージには、公衆移動体網（ＰＬＭＮ）識別子を含めることができる。ＰＬＭＮ識別子は、ＰＬＭＮ識別子が示すモビリティ管理ネットワーク要素において登録を実行するようにＵＥまたはグループ内のＵＥに指示するために使用される。
【００４２】
オプションとして、Ｍ２Ｍアプリケーションでは、ユーザ装置ＵＥまたはグループ内のＵＥの位置はほぼ固定または移動性（ｎｏｍａｄｉｃ）状態であり（すなわちＵＥはめったに移動しない）、ＵＥが登録を実行しなくてもＵＥまたはグループ内のＵＥの位置情報は記録され、サーバに保存される。位置情報はＵＥまたはグループ内のＵＥが存在する場所を示し、ＵＥまたはグループ内のＵＥが存在する場所を表わす情報、すなわち、エリア位置識別子（たとえば、ＴＡＩ、ＲＡＩ、ＬＡＩもしくはＴＡＩリスト）、セル識別子、セル識別子リスト、アクセス・ネットワーク要素識別子、またはアクセス・ネットワーク要素識別子リストなどを含む。ＵＥに所属がない、またはサーバが、ＵＥに所属のサービス提供モビリティ管理ネットワーク要素を確認することができない場合、サーバは位置情報を利用してＤＮＳドメイン名の検索を実行することにより完全修飾ドメイン名（ＦＱＤＮ：Ｆｕｌｌｙ  Ｑｕａｌｉｆｉｅｄ  Ｄｏｍａｉｎ  Ｎａｍｅ）を構築し、利用可能なモビリティ管理ネットワーク要素識別子リスト（つまり、複数のモビリティ管理ネットワーク要素）または利用可能なモビリティ管理ネットワーク要素を得ることができる。ＵＥが所属している場合、サーバは、従来の方法で、ＵＥが属するセルに従いＵＥに対応するモビリティ管理ネットワーク要素を検知する。または、サーバが静的に、ＵＥまたはグループ内のＵＥの利用可能なモビリティ管理ネットワーク要素または利用可能なモビリティ管理ネットワーク要素識別子リストを備えて構成される。サーバは、オペレーション指示要求メッセージをモビリティ管理ネットワーク要素識別子リスト内のすべてのモビリティ管理ネットワーク要素または利用可能なモビリティ管理ネットワーク要素に送信する。オペレーション指示要求メッセージはサーバがオペレーション指示をモビリティ管理ネットワーク要素に送信するためのメッセージであり、本発明の実施形態では、メッセージのタイプやメッセージの名称は限定されない。
【００４３】
Ｓ１０２：モビリティ管理ネットワーク要素はオペレーション指示を含む情報をＵＥまたはグループ内のＵＥに送信する。
【００４４】
モビリティ管理ネットワーク要素は、ページング、ブロードキャスト、マルチキャストまたは非アクセス層（ＮＡＳ）メッセージなどのメカニズムを通じてオペレーション指示をＵＥまたはグループ内のＵＥに送信することができる。
【００４５】
モビリティ管理ネットワーク要素がオペレーション指示を含む情報を送る場合、情報にはさらに、ＵＥアドレッシング情報を含み、そのＵＥアドレッシング情報を使用して、オペレーション指示によるオペレーションを実行する必要があるユーザ装置ＵＥまたはグループ内のユーザ装置ＵＥにアドレッシングすることができる。
【００４６】
ＵＥアドレッシング情報は、ユーザ装置識別子、グループ識別子、ＩＰアドレスおよびマルチキャスト・アドレスのうち少なくとも一つを含む。
【００４７】
具体的には、ＰＬＭＮ識別子を、オペレーション指示とユーザ装置識別子とともに、またはオペレーション指示とユーザ装置ＵＥが属するグループの識別子とともにユーザ装置に送信することができる。
【００４８】
モビリティ管理ネットワーク要素が一つのＵＥにオペレーション指示を送り、ＵＥが所属している場合、ＵＥに対応するモビリティ管理ネットワーク要素が、ＵＥが属するセルにしたがって検知され、モビリティ管理ネットワーク要素はＵＥを、ＵＥが存在する位置でページングする。その場合、ページング要求メッセージには、ＵＥ識別子（たとえば、ＵＥのＩＭＳＩ）やオペレーション指示が含まれ、また、同時にＰＬＭＮ識別子を含めることもできる。オペレーション指示がグループ内のＵＥに送信される場合、ページング要求メッセージには、グループ識別子（たとえば、ＵＥのＩＭＳＩ）やオペレーション指示が含まれ、また、同時にＰＬＭＮ識別子を含めることもできる。ユーザ装置ＵＥまたはグループ内のユーザ装置ＵＥは、オペレーション指示にしたがって、ＰＬＭＮ識別子の示す移動通信ネットワークにおいてオペレーションを実行する。
【００４９】
モビリティ管理ネットワーク要素がブロードキャストまたはマルチキャスト方式で一つのＵＥにオペレーション指示を送る場合、モビリティ管理ネットワーク要素は、ブロードキャスト・メッセージまたはマルチキャスト・メッセージを送るようにアクセス・ネットワーク要素に指示する。ブロードキャスト・メッセージまたはマルチキャスト・メッセージには、ＵＥ識別子およびオペレーション指示が含まれ、オプションとして、同時にＰＬＭＮ識別子を含めることもできる。オペレーション指示がグループ内のＵＥに送信される場合、ブロードキャスト・メッセージまたはマルチキャスト・メッセージには、グループ識別子（たとえば、ＵＥのＩＭＳＩ）およびオペレーション指示が含まれ、同時にＰＬＭＮ識別子を含めることもできる。本発明の実施形態では、アクセス・ネットワーク要素は、Ｅ−ＵＴＲＡＮネットワークのｅＮｏｄｅＢもしくはＨｅＮＢ、またはＵＴＲＡＮ／ＧＥＲＡＮネットワークのＲＮＣもしくはＢＳＣ、またはＷＬＡＮネットワークのｅＰＤＧのアクセス・ネットワーク論理機能エンティティ、またはＷｉｍａｘネットワークのＡＳＮ  ＢＳ、またはＣＤＭＡネットワークのＨＲＰＤ  ＡＮのアクセス・ネットワーク論理機能エンティティである。
【００５０】
モビリティ管理ネットワーク要素が、非アクセス層（ＮＡＳ）メッセージを使用して、一つのＵＥにオペレーション指示を送る場合、モビリティ管理ネットワーク要素は、オペレーション指示を含むＮＡＳメッセージをＵＥに送り、そこにＰＬＭＮ識別子および／またはＵＥ識別子を含めてもよい。オペレーション指示がグループ内のＵＥに送信される場合、オペレーション指示を含むＮＡＳメッセージがモビリティ管理ネットワーク要素によって送られ、ＰＬＭＮ識別子および／またはグループ識別子を含むＮＡＳメッセージがモビリティ管理ネットワーク要素によって送信される。ＮＡＳメッセージは、ＴＡＵ  Ａｃｃｅｐｔ、ＲＡＵ  Ａｃｃｅｐｔ、ＬＡＵ  Ａｃｃｅｐｔ、Ｄｅｔａｃｈ  Ｒｅｑｕｅｓｔ、Ｄｅｔａｃｈ  Ａｃｃｅｐｔ、ＧＵＴＩ  Ｒｅａｌｌｏｃａｔｉｏｎ  Ｃｏｍｍａｎｄ、Ａｔｔａｃｈ  Ａｃｃｅｐｔ、またはオペレーション指示の送信に使用する他のメッセージ（たとえば、Ｎｅｔｗｏｒｋ  Ｃｏｍｍａｎｄ  Ｔｒａｎｓｆｅｒ）を含む。たとえば、モビリティ管理ネットワーク要素はＵＥまたはグループ内のＵＥの所属の手続きにおいてＨＳＳから加入者データを得ることができ、加入者データはＵＥまたはグループ内のＵＥに送ったオペレーション指示を含み、モビリティ管理ネットワーク要素は、オペレーション指示を含むＡｔｔａｃｈ  ＡｃｃｅｐｔメッセージをＵＥまたはグループ内のＵＥに送る。オプションとして、ＰＬＭＮ識別子を含むＡｔｔａｃｈ  Ａｃｃｅｐｔメッセージを送ることもできる。
【００５１】
さらに、モビリティ管理ネットワーク要素はタイマを開始させることができ、タイマを使用してモビリティ管理ネットワーク要素はＵＥまたはグループ内のＵＥが所定の時間内にオペレーション指示を受信しているかどうか判定する。このように、ＵＥまたはグループ内のＵＥが、ネットワーク側が送信したオペレーション指示を確実に受信することができ、同時にネットワーク・リソースの無駄を避けることができる。
【００５２】
Ｓ１０３：ＵＥまたはグループ内のＵＥはオペレーション指示を取得し、オペレーション指示にしたがって、登録、加入者データ有効化またはサービスデータ伝送などの対応するオペレーションを実行する。
【００５３】
オペレーション指示がＵＥまたはグループ内のＵＥに登録を指示する指示である場合、ＵＥまたはグループ内のＵＥは登録を実行する。たとえば、ＵＥまたはグループ内のＵＥが特定の時間に、時間帯に、または特定のイベントをトリガとして登録を実行する。
【００５４】
ＵＥまたはグループ内のＵＥが得たオペレーション指示がＵＥまたはグループ内のＵＥに加入者データの有効化を指示する指示情報である場合、ＵＥまたはグループ内のＵＥは加入者データを有効化する。ＵＥもしくはグループ内のＵＥがまたＰＬＭＮ識別子を取得した場合、ＵＥもしくはグループ内のＵＥはＰＬＭＮにおける加入者データを有効化するか、またはＵＥもしくはグループ内のＵＥは特定の時間に、時間帯に、もしくは特定のイベントをトリガとして加入者データを有効化する。
【００５５】
オペレーション指示が、ＵＥまたはグループ内のＵＥにサービスデータの伝送を実行させるように指示する指示である場合、ＵＥまたはグループ内のＵＥはサービスデータの伝送を実行する。たとえば、サービスデータの伝送が実行される場合、ＵＥまたはグループ内のＵＥはサービスデータの伝送を特定の時間に、時間帯に、または特定のイベントをトリガとして実行する。
【００５６】
さらに、オプションとして、ＰＬＭＮ識別子をＵＥまたはグループ内のＵＥにオペレーション指示とともに送信することもできる。ＰＬＭＮ識別子は、ＵＥまたはグループ内のＵＥに当該ＰＬＭＮにおいてオペレーションを実行するように指示するために使用され、ＵＥまたはグループ内のＵＥはたとえば、登録、加入者データの有効化、サービスデータの伝送などのオペレーションを当該ＰＬＭＮにおいて実行する。
【００５７】
さらに、オペレーション指示を受け取ると、ＵＥまたはグループ内のＵＥはモビリティ管理ネットワーク要素に連絡する。たとえば、ＵＥまたはグループ内のＵＥは登録要求を通してモビリティ管理ネットワーク要素に、ＵＥまたはグループ内のＵＥがオペレーション指示を受信していることを通知するか、ＵＥあるいはグループ内のＵＥは確認メッセージを送って、モビリティ管理ネットワーク要素にＵＥまたはグループ内のＵＥがオペレーション指示を受信していることを連絡するか、または、ＵＥまたはグループ内のＵＥがサービス要求プロセスにおいて、モビリティ管理ネットワーク要素にＵＥまたはグループ内のＵＥがオペレーション指示を受信していることを通知する。或いは、サーバが送ったデータをＵＥまたはグループ内のＵＥが受信すると、ＵＥまたはグループ内のＵＥはサーバに、オペレーション指示の受信を示す確認情報（確認情報は、ＵＥまたはグループ内のＵＥがオペレーション指示を受け取ったことを示すことができる情報であり、たとえば、確認（Ａｃｋｎｏｗｌｅｄｇｅｍｅｎｔ）データ・パケット、特徴的なメッセージタイプや特定の表示があり得る。）を送信し、サーバにＵＥまたはグループ内のＵＥによるオペレーション指示の受信を連絡する。
【００５８】
Ｓ１０４：（オプション）モビリティ管理ネットワーク要素は、サーバに応答メッセージを送り、該メッセージはモビリティ管理ネットワーク要素がサーバにＵＥまたはグループ内のＵＥがオペレーション指示を受信したかどうかを通知するために使用される。
【００５９】
所定の時間後、ＵＥまたはグループ内のＵＥがフィードバックする、オペレーション指示の受信を示す通知メッセージをモビリティ管理ネットワーク要素が受信した場合、モビリティ管理ネットワーク要素がサーバに送信する応答メッセージには、オペレーション指示の送信が成功したことを示す表示情報（たとえば、表示情報は、特定のメッセージタイプ、特定の理由値、または成功表示などの表示情報とすることができる）と、オペレーション指示の受信が成功したことを示すグループ識別子、ＵＥ識別子またはＵＥ識別子のリストと、が含まれる。所定の時間内に、モビリティ管理ネットワーク要素がＵＥまたはグループ内のユーザ装置ＵＥがフィードバックするメッセージを受信しない場合、サーバに送る応答メッセージは、オペレーション指示の送信が失敗したことを示す表示情報（たとえば、特定のメッセージタイプ、特定の理由値または失敗表示などの表示情報が挙げられる）を含み、サーバにＵＥまたはグループ内のＵＥがオペレーション指示を受信したかどうかを通知する。本発明の実施形態では、メッセージの名称は限定しない。メッセージには、オペレーション指示の受信の成功を示すグループ識別子、ＵＥ識別子リスト、ＵＥ識別子が含まれる。
【００６０】
具体的には、モビリティ管理ネットワーク要素は、ＵＥまたはグループ内のＵＥにオペレーション指示を送った後、タイマをスタートさせ、計時を行う。
【００６１】
所定の時間内に、ＵＥまたはグループ内のＵＥがモビリティ管理ネットワーク要素にＵＥまたはグループ内のＵＥのオペレーション指示の受信を通知すると、対応するモビリティ管理ネットワーク要素がタイマをストップし、サーバに、オペレーション指示応答メッセージを送る。該メッセージは、モビリティ管理ネットワーク要素がサーバに、ＵＥまたはグループ内のＵＥがオペレーション指示を受信したかどうか、たとえば、オペレーション指示のＵＥまたはグループ内のＵＥへの送信が成功したかどうか、またはオペレーション指示の送信の失敗理由を通知するために使用される。オペレーション指示の送信が成功すると、メッセージには、オペレーション指示の受信成功を示すグループ識別子、ＵＥ識別子、ＵＥ識別子リストを含まれることができる。本発明の実施形態では、メッセージの名称は限定されない。
【００６２】
さらに、設定したタイマが切れて、モビリティ管理ネットワーク要素が、ＵＥまたはグループ内のＵＥが送った通知メッセージであってオペレーション指示が届いたことを示す通知メッセージを受信していない場合、モビリティ管理ネットワーク要素は、オペレーション指示をＵＥまたはグループ内のＵＥに再度ページング、ブロードキャスト、またはＮＡＳメッセージを介して、ステップＳ１０２で説明した方法でオペレーション指示を再送する。
【００６３】
さらに、モビリティ管理ネットワーク要素におけるリソースを節約するために、モビリティ管理ネットワーク要素が、オペレーション指示を受信していないというＵＥまたはグループ内のＵＥの通知を検知すると、モビリティ管理ネットワーク要素はモビリティ管理ネットワーク要素におけるＵＥまたはグループ内のＵＥの情報全て（タイマ、位置情報またはオペレーション指示を含む）を消去する。
【００６４】
Ｓ１０５：Ｓ１０ユーザ装置ＵＥまたはグループ内のユーザ装置ＵＥがオペレーション指示を受信していないことを検知すると、サーバはユーザ装置ＵＥあるいはグループ内のＵＥにオペレーション指示を再送する。
【００６５】
サーバが、ＵＥまたはグループ内のＵＥがオペレーション指示を受け取っていないことを検知する方法は、たとえば以下の通りである。
【００６６】
サーバが、モビリティ管理ネットワーク要素が送ったオペレーション指示応答メッセージを受信しておらず、モビリティ管理ネットワーク要素が送ったオペレーション指示応答を受信していないことにより検知する。この場合、応答メッセージはＵＥまたはグループ内のＵＥがオペレーション指示を受信していないことを示す表示情報が含まれる（表示情報は、ＵＥまたはグループ内のＵＥがオペレーション指示を受信していないことを示すことができる表示情報とすることができ、たとえば、失敗の理由や、失敗表示または具体的なメッセージタイプなどが考えられる）。またはサーバが、対応するＵＥまたはグループ内のＵＥが送るオペレーション指示を受信したことを示す確認情報を受け取っていないことで検知する（たとえば、オペレーション指示を受信したとＵＥまたはグループ内のＵＥが判断できる情報、たとえば、確認データ・パケットや確認表示がある）。このように、ネットワーク側が送ったオペレーション指示をＵＥまたはグループ内のＵＥが受信したかどうかを判定することができ、ネットワーク・リソースの無駄な使用を同時に避けることができる。さらに、オペレーション指示が対応するＵＥに確実に送信できたかどうか判断するために、タイマをセットして、サーバが、ＵＥまたはグループ内のＵＥがサーバが送ったオペレーション指示を所定の時間で受信したか判断することができ、サーバがオペレーション指示要求メッセージを送った後、タイマをスタートさせ、タイマが切れる前に、サーバが送った内容をＵＥまたはグループ内のＵＥが受信していない場合、サーバはオペレーション指示が対応するＵＥに送信されていないと判断し、ＵＥまたはグループ内のＵＥの状態をたとえば、非登録状態、加入者情報非有効化状態、またはサービス非開始状態に設定する。
【００６７】
タイマが切れた後にもアプリケーションレイヤがＵＥまたはグループ内のＵＥが報告したデータを受信しないか、又は、タイマが切れた後にもサーバがＵＥまたはグループ内のＵＥの登録情報を問い合わせないか、またはサーバがモビリティ管理ネットワーク要素からＵＥ、ＵＥリストまたはオペレーション指示のグループ識別子が受信していないことを検知すると、サーバはオペレーション指示が対応するＵＥまたはグループ内のＵＥに送信されていないと判断する。
【００６８】
ＵＥまたはグループ内のＵＥがオペレーション指示を受信していないことをサーバが検知すると、サーバは、オペレーション指示要求メッセージを再度、ステップＳ１０１に記載の方法で、利用可能なモビリティ管理ネットワーク要素またはモビリティ管理ネットワーク要素識別子リスト内のすべてのモビリティ管理ネットワーク要素に送る。
【００６９】
この実施形態では、ネットワーク側がオペレーション指示をユーザ装置ＵＥあるいはグループ内のＵＥに送信し、ユーザ装置がオペレーション指示を受信すると、ユーザ装置はオペレーション指示によるオペレーションを実行する。ネットワーク側はユーザ装置にオペレーションの実行をトリガし、ＵＥまたはグループ内のＵＥは休止状態または非登録状態であってよく、ネットワーク・リソースの利用率を大幅に改善することができるとともに、ネットワークの無駄を低減することができる。
【００７０】
＜第２の実施形態＞
第１の実施形態と異なり、この実施形態では、ネットワーク側がオープンモバイルアライアンスデバイス管理（ＯＭＡ  ＤＭ）方式でＵＥまたはグループ内のＵＥにオペレーション指示を送信する。
【００７１】
図２を参照すると、本発明の実施形態におけるユーザ装置のオペレーション制御方法は以下のステップを含む。
Ｓ２０１：ＵＥまたはグループ内のＵＥがネットワークに登録し、モビリティ管理・ネットワーク要素がベアラ形成プロセスを開始し、ＵＥとサーバとの間のデータ・プレーンベアラ接続を完成させ、サーバはＵＥまたはグループ内のＵＥのＩＰアドレスを検知する。
Ｓ２０２：サーバはＯＭＡ  ＤＭ方式でＵＥまたはグループ内のＵＥにオペレーション指示を送信する。
【００７２】
ネットワーク側は、オペレーション指示、ユーザ装置ＵＥ識別子またはユーザ装置ＵＥが属するグループのグループ識別子を、ＯＭＡ  ＤＭ方式でユーザ装置に送信する。
【００７３】
ＯＭＡ  ＤＭは、データ・プレーンに基づいてＵＥとサーバとの間で情報データのやりとりを実行する技術であり、ＵＥデータの遠隔管理を実現するための技術である。具体的には、サーバが、ＵＥまたはグループ内のＵＥのＩＰアドレスにしたがってサーバとＵＥの間のデータ・プレーンベアラを介してオペレーション指示をＵＥまたはグループ内のＵＥに送る。
【００７４】
メッセージはさらに、ＰＬＭＮ識別子を含むことができ、ＰＬＭＮ識別子が、ＵＥまたはグループ内のＵＥにＰＬＭＮにおける登録、加入者データの有効化またはサービスデータの伝送などのオペレーションの実行を指示するために使用される。
【００７５】
Ｓ２０３：ＵＥまたはグループ内のＵＥやオペレーション指示を得て、登録、加入者データの有効化またはサービスデータの伝送などの対応するオペレーションを、オペレーション指示によるネットワークで実行する。
【００７６】
ステップＳ２０３からＳ２０５は基本的に第１実施形態のステップＳ１０３と等しく、ここでの説明は省略する。
【００７７】
この実施形態では、ネットワーク側がオペレーション指示をユーザ装置ＵＥまたはグループ内のＵＥにオープンモバイルアライアンスデバイス管理（ＯＭＡ  ＤＭ）方式で送信し、オペレーション指示を含めるために他のメッセージを追加で使用する必要がない。したがって、オペレーション指示の送信がより簡便になる。ネットワーク側は、ユーザ装置にオペレーション実行をトリガし、ユーザ装置は、オペレーション指示にしたがってオペレーションを実行する。ＵＥまたはグループ内のＵＥは休止状態または非登録状態であってよく、それによりネットワーク・リソースの利用率を大幅に改善することができるとともに、ネットワーク・リソースの無駄を低減することができる。
【００７８】
＜第３の実施形態＞
この実施形態では、ネットワーク側がＵＥまたはグループ内のＵＥにオペレーション指示をマルチキャスト方式で送信する。
【００７９】
図３を参照すると、本発明の実施形態におけるユーザ装置のオペレーション制御方法は以下のステップを含む。
【００８０】
Ｓ３０１：サーバがオペレーション指示要求メッセージをブロードキャスト／マルチキャスト−サービス・センタ（ＢＭ−ＳＣ）に送る。オペレーション指示要求メッセージは。サーバがＢＭ−ＳＣにオペレーション指示を送信するためのメッセージである。本発明の一実施形態ではメッセージのメッセージタイプやメッセージ名称は限定しない。
【００８１】
Ｍ２Ｍ業界のユーザまたはオペレータがＵＥまたはグループ内のＵＥにオペレーション指示を送る。メッセージは、サーバがＢＭ−ＳＣにオペレーション指示を送信するためのメッセージである。
【００８２】
一般に、サーバは静的に、ＵＥやグループのＭＢＭＳサーバＢＭ−ＳＣを構成されて備えているか、又はサーバはＵＥまたはグループ内のＵＥの位置情報に従って、ＦＱＤＮを構築し、ＤＮＳ問合せを実行し、ＵＥまたはグループのサービス提供ＢＭ−ＳＣを得る。
【００８３】
メッセージはさらに、ＰＬＭＮ識別子を含むことができ、ＰＬＭＮ識別子を使用してＵＥまたはグループ内のＵＥに、ＰＬＭＮ識別子が示す移動通信ネットワークにおいて登録、加入者データ有効化またはサービスデータ伝送等のオペレーションの実行を指示する。
【００８４】
オプションとして、サーバは、オペレーション指示要求メッセージを送信した後、タイマを起動させ、オペレーション指示が対応するＵＥに送られてないことを判断する。時間が経過した後に、サーバがＵＥもしくはグループ内のＵＥからフィードバックされたオペレーション指示が受信されていることを示す確認情報を受け取っていない場合、又は、サーバが管理ネットワーク要素からフィードバックされたＵＥもしくはグループ内のＵＥがオペレーション指示を受信したことを示す確認情報を受信していない場合、またはサーバがモビリティ管理ネットワーク要素からフィードバックされた、オペレーション指示のＵＥもしくはグループ内のＵＥへの送信が成功したもしくは失敗したことを示す情報を受信したとき（送信の成功または失敗を示す情報は、オペレーション指示のＵＥ識別子、ＵＥ識別子リスト、もしくはグループ識別子の受信成功、および／またはオペレーション指示の送信成功を示す表示情報、或いは、オペレーション指示のＵＥ識別子もしくはＵＥ識別子リスト、もしくはグループ識別子の受信失敗、および／またはオペレーション指示の送信失敗を示す表示情報を指す）オペレーション指示が対応するＵＥに送られていないと判定される。
【００８５】
Ｓ３０２：ＢＭ−ＳＣは、サーバが送るオペレーション指示要求を受信すると、セッション開始要求（Ｓｅｓｓｉｏｎ  Ｓｔａｒｔ  Ｒｅｑｕｅｓｔ）をＭＢＭＳ−ＧＷに送信する。
【００８６】
ＢＭ−ＳＣは、ＵＥまたはグループ内のＵＥの位置情報に応じてＭＢＭＳ−ＧＷを選択することができる。
【００８７】
ＵＥまたはグループ内のＵＥの位置情報にしたがって、ＭＢＭＳ制御プレーン（Ｃｏｎｔｒｏｌ  Ｐｌａｎｅ）またはＭＢＭＳ制御プレーン・リストを検知することができる。
【００８８】
Ｓ３０３：ＭＢＭＤ−ＧＷはセッション開始要求メッセージをＭＢＭＳ制御プレーンに送る。
【００８９】
具体的には、ＭＢＭＳ−ＧＷはＩＰマルチキャスト・アドレスを割り当て、セッション開始要求メッセージを送る。オペレーション指示が一つのＵＥに送信される場合、そのメッセージにはＩＰマルチキャスト・アドレスとＵＥ識別子が含まれ、また、ＭＢＭＳ制御プレーンに送信されるＵＥの位置情報を含めることもできる。オペレーション指示がグループ内のＵＥに送信される場合、そのメッセージにはＩＰマルチキャスト・アドレスとグループ識別子が含まれ、グループ内のＵＥの位置情報も含むことができ、この位置情報はＭＢＭＳ制御プレーンに送信される。ＭＢＭＳ制御プレーンはＵＥの位置情報またはグループの位置情報に応じて対応するアクセス・ネットワーク要素を知る。
【００９０】
Ｓ３０４：ＭＢＭＳ制御プレーンはセッション開始要求メッセージをＵＥまたはグループの位置情報に対応するアクセス・ネットワーク要素に送信し、該メッセージには、ＵＥ識別子とＩＰマルチキャスト・アドレス、またはＩＰマルチキャスト・アドレスとグループ識別子が含まれる。
【００９１】
Ｓ３０５：ＩＰマルチキャスト・アドレスに対して、アドレス・ネットワーク要素は通知情報を送り、そのメッセージにはグループ識別子またはＵＥ識別子が含まれる。ＵＥまたはグループ内のＵＥが対応する通知情報を受信すると、ＵＥまたはグループ内のＵＥはアクセス・ネットワーク要素に応答する。アクセス・ネットワーク要素は、アクセス・ネットワーク側のネットワーク要素にてマルチキャスト・リストにマルチキャスト・アドレスを追加する。
【００９２】
Ｓ３０６：アクセス・ネットワーク側がＵＥとアクセス・ネットワーク間のリソース作成を開始する。
【００９３】
Ｓ３０７：マルチキャスト・リストにマルチキャスト・アドレスを追加した後、アクセス・ネットワーク要素のネットワーク要素はセッション開始応答（Ｓｅｓｓｉｏｎ  Ｓｔａｒｔ  Ｒｅｓｐｏｎｓｅ）メッセージを送信して、ＭＢＭＳ制御プレーンに応答する。
【００９４】
ＭＢＭＳ制御プレーンはセッション開始応答メッセージを送って、ＭＢＭＳ−ＧＷに応答する。
【００９５】
Ｓ３０９：ＭＢＭＳ−ＧＷはセッション開始応答メッセージを送ってＢＭ−ＳＣに応答する。
【００９６】
Ｓ３１０：ＢＭ−ＳＣはＭＢＭＳ−ＧＷに、サーバが送ったオペレーション指示を送信する。そのオペレーション指示にはさらにＰＬＭＮ識別子が含まれている。
【００９７】
Ｓ３１１：ＭＢＭＳ−ＧＷはオペレーション指示（ＰＬＭＮを含んでいてよい）をＵＥまたはグループ内のＵＥにマルチキャスト・アドレスに従ってアクセス・ネットワーク要素を介して送信する。
【００９８】
Ｓ３１２：ＵＥまたはグループ内のＵＥはオペレーション指示（オプションとして、ＰＬＭＮ識別子を含む）を取得し、登録、加入者データ有効化またはサービスデータの伝送を実行する。具体的な手順については第１実施形態のステップＳ１０３を参照することができる。
【００９９】
続くステップＳ３１３およびＳ３１４は実施形態１のステップＳ１０４およびＳ１０５に基本的に等しく、説明は省くこととする。
【０１００】
この実施形態では、ネットワークがユーザ装置あるいはグループ内のＵＥにオペレーション指示をマルチキャスト方式で送信し、オペレーション指示を含めるための他のメッセージを使用する必要はない。したがって、オペレーション指示の送信が非常に簡便になる。ネットワーク側はユーザ装置にオペレーションの実行をトリガし、ユーザ装置はオペレーション指示に従いオペレーションを実行する。ＵＥまたはグループ内のＵＥは休止状態または未登録状態であってよく、したがって、ネットワーク・リソースの利用率を大幅に改善し、ネットワークの無駄を低減することができる。
【０１０１】
＜第４の実施形態＞
この実施形態では、ネットワーク側がオペレーション指示をＵＥまたはグループ内ＵＥにブロードキャスト方式で送信し、ＵＥあるいはグループ内のＵＥがオペレーション指示を取得し、オペレーション指示に応じたオペレーションを実行する。
【０１０２】
図４を参照すると、本発明の実施形態によるユーザ装置のオペレーション制御方法は、以下のステップを含む。
【０１０３】
Ｓ４０１：サーバはセル・ブロードキャスト・エンティティ（ＣＢＥ）にオペレーション指示要求メッセージを送信する。オペレーション指示要求メッセージは、サーバがオペレーション指示をＣＢＥに送信するためのメッセージであり、本発明の実施形態では、メッセージのメッセージ名称やメッセージタイプは限定されない。
【０１０４】
Ｍ２Ｍ業界のユーザまたはオペレータはＵＥまたはグループ内のＵＥにオペレーション指示を送信し、サーバはオペレーション指示のメッセージをＣＢＥに送信するように構成される。
【０１０５】
サーバには静的にＵＥまたはグループの使用するＣＢＥが構成されるか、又はサーバはＵＥあるいはグループ内のＵＥの位置情報に応じてＦＱＤＮを構成し、ＤＮＳクエリを実行し、ＵＥやグループ内のＵＥの使用するＣＢＥを見つける。
【０１０６】
この実施形態では、ＵＥまたはグループ内のＵＥが上述の実施形態同様に、サーバにＵＥまたはグループ内のＵＥがオペレーション指示を受信したことを通知し、サーバが第１実施形態と同じようにタイマをスタートまたはストップして、オペレーション指示が対応するＵＥあるいはグループ内のＵＥに送信されたか判断することができる。
【０１０７】
Ｓ４０２：ＣＢＥはセッション開始要求メッセージをセル・ブロードキャスト・センタ（ＣＢＣ）に送信する。
【０１０８】
オプションとして、ＣＢＥは、ＵＥまたはグループ内のＵＥの位置情報に応じてＣＢＣを選択することができる。オペレーション指示情報が一つのＵＥに送信される場合、メッセージにはＵＥ識別子、オプションとしてＵＥの位置情報が含まれる。オペレーション指示情報がグループ内のＵＥに送信される場合、メッセージはグループ識別子を含み、オプションとしてグループ内のＵＥの位置情報を含めることができる。オプションとして、ＣＢＣはＵＥまたはグループ内のＵＥの位置情報に応じて利用可能なモビリティ管理ネットワーク要素または利用可能なモビリティ管理ネットワーク要素リストを知ることができ、利用可能なモビリティ管理ネットワーク要素または利用可能なモビリティ管理ネットワーク要素リストがＵＥまたはグループ内のＵＥにサービス提供する。
【０１０９】
Ｓ４０３：ＣＢＣはサービス開始要求メッセージをモビリティ管理ネットワーク要素に送信する。
【０１１０】
Ｓ４０４：モビリティ管理ネットワーク要素は、サービス開始要求メッセージをアクセス・ネットワーク要素またはアクセス・ネットワーク要素リストにおける複数のアクセス・ネットワーク要素に送信し、該アクセス・ネットワーク要素またはアクセス・ネットワーク要素リストにおける複数のアクセス・ネットワーク要素はＵＥまたはグループ内のＵＥにサービス提供し、メッセージにはＵＥ識別子またはグループ識別子が含まれる。
【０１１１】
Ｓ４０５：アクセス・ネットワークとＵＥとの間の無線リソースを確立する。
【０１１２】
Ｓ４０６−Ｓ４０８：アクセス・ネットワーク要素はモビリティ管理ネットワーク要素に応答し、モビリティ管理ネットワーク要素はＣＢＥ及びＣＢＣのセッション開始要求に応じる。
【０１１３】
Ｓ４０９−Ｓ４１２：ＣＢＥはアクセス・ネットワーク要素にブロードキャスト方式でオペレーション指示を送信し、オプションとしてこれにＰＬＭＮ識別子を含める。アクセス・ネットワーク要素はグループ内のＵＥまたはＵＥと通信を開始し、ブロードキャスト・メッセージにはオペレーション指示、オプションとしてＰＬＭＮ識別子、ＵＥ識別子またはグループ・識別子が含まれる。ＵＥまたはグループ内のＵＥはブロードキャスト・メッセージを受信し、すなわちオペレーション指示を受信する。
【０１１４】
Ｓ４１３：ＵＥまたはグループ内のＵＥはオペレーション指示（オプションとしてＰＬＭＮ識別子を含む）を取得して、登録、加入者データの有効化、サービスデータの伝送を実行する。具体的な説明については、第１実施形態のステップＳ１０３を参照することができる。
【０１１５】
次のステップＳ４１４およびＳ４１５は基本的に第１実施形態１におけるステップＳ１０４およびＳ１０５と同じであり、ここでは説明を省く。
【０１１６】
この実施形態では、ネットワーク側がオペレーション指示をユーザ装置ＵＥあるいはグループ内のＵＥにブロードキャスト方式で送信し、オペレーション指示を含めるために他のメッセージを採用する必要がなく、オペレーション指示の送信がより簡便になる。ネットワーク側は、ユーザ装置にオペレーション実行をトリガし、ユーザ装置はそのオペレーション指示に従ってオペレーションを実行する。ＵＥまたはグループ内のＵＥは休止状態または非登録状態であってよく、ネットワーク・リソースの利用率を大きく改善することができる。
【０１１７】
図５を参照すると、本発明の実施形態によるユーザ装置５００は、
ネットワーク側から送信されたオペレーション指示を含む情報を受信するように構成された第一の受信ユニット５１と、
受信した前記オペレーション指示に従ってオペレーションを実行するように構成されたオペレーティング・ユニット５２と、を備える。
【０１１８】
前記ユーザ装置５００はさらに、
公衆移動体網（ＰＬＭＮ）識別子を得るように構成された取得ユニット５３を備え
前記オペレーティング・ユニット５２は、ＰＬＭＮ識別子に対応する移動通信ネットワークにおいてオペレーションを実行する。
【０１１９】
前記オペレーション指示は具体的に、特定の時間にもしくは特定の期間にオペレーションを実行し、または、特定のイベントをきっかけ（トリガ）としてオペレーティング・ユニットにオペレーションを実行させることを含む。
【０１２０】
オペレーションは、登録、加入者データ有効化、およびサービスデータ伝送の少なくとも一つを備える。
【０１２１】
図６を参照すると、本発明の実施形態はさらに、サーバ６００を提供し、サーバ６００は情報生成ユニット６１と送信ユニット６２とを備える。
【０１２２】
情報生成ユニット６１は、Ｍ２Ｍユーザ装置ＵＥまたはグループ内のＭ２Ｍユーザ装置に実行するように指示するオペレーション指示要求を開始するように構成され、オペレーション指示は、Ｍ２Ｍユーザ装置ＵＥもしくはグループ内のＭ２Ｍユーザ装置ＵＥが登録を実行するように指示する指示、Ｍ２Ｍユーザ装置ＵＥもしくはグループ内のＭ２Ｍユーザ装置ＵＥが加入者データを有効化させるように指示する指示、またはＭ２Ｍユーザ装置ＵＥもしくはグループ内のＭ２Ｍユーザ装置ＵＥにサービスデータの伝送を実行するように指示する指示、のうちの少なくとも一つを含む。
【０１２３】
送信ユニット６２はオペレーション指示を含む情報を送信するように構成される。
【０１２４】
サーバ６００はさらに、
Ｍ２Ｍユーザ装置ＵＥまたはグループ内のＭ２Ｍユーザ装置ＵＥの位置情報により、利用可能なモビリティ管理ネットワーク要素あるいは利用可能なモビリティ管理ネットワーク要素識別子リストを選択するように構成されたアドレス決定ユニット６３を備え、
送信ユニット６２は、オペレーション指示を含む情報をモビリティ管理ネットワーク要素識別子リスト内の全てのモビリティ管理ネットワーク要素または利用可能なモビリティ管理ネットワーク要素に送信するように構成される。
【０１２５】
図７を参照すると、本発明の実施形態によるユーザ装置の他のオペレーション制御システム７００は、
ユーザ装置ＵＥまたはグループ内のユーザ装置にオペレーションを実行するように指示するオペレーション指示要求を開始するサーバ７１であって、該オペレーション指示要求はサーバが制御ネットワーク要素（たとえば、モビリティ管理ネットワーク要素）にユーザ装置ＵＥへのオペレーション指示の送信を要求するメッセージであり、本発明の実施形態では要求のメッセージ名またはメッセージタイプは限定されない、サーバ７１と、
サーバからオペレーション指示要求を受け取った後、ユーザ装置ＵＥまたはグループ内のＵＥの位置情報に応じてマルチメディア・ブロードキャスト／マルチキャスト−サービス・ゲートウェイ（ＭＢＭＳ−ＧＷ）７３を選択し、ＭＢＭＳ−ＧＷ７３に要求メッセージを送信するように構成されたブロードキャスト／マルチキャスト−サービス・センタ（ＢＭ−ＳＣ）７２と、
ＵＥまたはグループ内のＵＥの位置情報に応じてマルチメディア・ブロードキャスト／マルチキャスト−サービス（ＭＢＭＳ）制御プレーン・エンティティまたはＭＢＭＳ制御プレーン・エンティティ・リストを検知し、ＭＢＭＳ制御プレーン・エンティティにマルチキャスト・アドレスを割り当てて要求メッセージを送信するように構成されたマルチメディア・ブロードキャスト／マルチキャスト−サービス・ゲートウェイ（ＭＢＭＳ−ＧＷ）７３と、
ユーザ装置またはグループ内のＵＥに対応するアクセス・ネットワーク要素に要求メッセージを送信するように構成され、該メッセージがＩＰマルチキャスト・アドレスおよびＵＥの識別子を含むか、または該メッセージがＩＰマルチキャスト・アドレスおよびグループ識別子を含む、ＭＢＭＳ制御プレーン・エンティティ７４と、
マルチキャスト・アドレスにしたがって、ＵＥまたはグループ内のＵＥにオペレーション指示を送信するように構成されたアクセス・ネットワーク７５要素と、を備える。
【０１２６】
オペレーション指示には、ユーザ装置ＵＥまたはグループ内のユーザ装置ＵＥが登録を実行するように指示する指示、ユーザ装置ＵＥまたはグループ内のユーザ装置ＵＥが加入者データを有効化させるように指示する指示、ユーザ装置ＵＥまたはグループ内のユーザ装置ＵＥにサービスデータの伝送を実行するように指示する指示のうちの少なくとも一つが含まれる。
【０１２７】
図８を参照すると、本発明のさらに別の実施形態によるユーザ装置のオペレーション制御システム８００は、
ユーザ装置ＵＥまたはグループ内のユーザ装置に操作を指示するオペレーション指示要求を開始し、ユーザ装置ＵＥまたはグループ内のＵＥにサービス提供するセル・ブロードキャスト・エンティティ（ＣＢＥ）を検知し、ＣＢＥにオペレーション指示要求を送るように構成されたサーバ８１と、
サーバからオペレーション指示要求を受信し、ＵＥまたはグループ内のＵＥの位置情報によってセル・ブロードキャスト・センタ（ＣＢＣ）を選択し、ＣＢＣにオペレーション指示要求を送るように構成されたセル・ブロードバンド・エンティティ（ＣＢＥ）８２と、
ＣＢＥからのオペレーション指示要求を受信し、ＵＥまたはグループ内のＵＥの位置情報に応じて、モビリティ管理ネットワーク要素またはモビリティ管理ネットワーク要素識別子リスト内のすべてのモビリティ管理ネットワーク要素を判定し、判定したモビリティ管理ネットワーク要素またはモビリティ管理ネットワーク要素識別子リスト内のすべてのモビリティ管理ネットワーク要素にオペレーション指示要求を送るように構成されたセル・ブロードキャスト・センタ（ＣＢＣ）８３と、
ＣＢＣとアクセス・ネットワーク要素とのそれぞれとセッション接続を確立し、ＣＢＣからアクセス・ネットワーク要素またはアクセス・ネットワーク要素リスト内のすべてのアクセス・ネットワーク要素にオペレーション指示要求を送信し、該アクセス・ネットワーク要素またはアクセス・ネットワーク要素リスト内のすべてのアクセス・ネットワーク要素がＵＥまたはグループ内のＵＥにサービス提供することができ、メッセージには、オペレーション指示ならびにＵＥ識別子およびグループ識別子の少なくとも一つを備えるモビリティ管理ネットワーク要素８４と、
ユーザ装置ＵＥまたはグループ内のＵＥにオペレーション指示をブロードキャストするように構成されたアクセス・ネットワーク要素８５と、を備える。
【０１２８】
オペレーション指示は、ユーザ装置ＵＥもしくはグループ内のユーザ装置ＵＥに登録を実行するように指示する指示、ユーザ装置ＵＥもしくはグループ内のユーザ装置ＵＥに加入者データを有効化するように指示する指示、またはユーザ装置ＵＥもしくはグループ内のユーザ装置ＵＥにサービスデータの伝送を実行するように指示する指示、のうちの少なくとも一つを含む。
【０１２９】
上記説明から、本発明の実施形態による技術的解決法では、ネットワーク側がユーザ装置ＵＥまたはグループ内のＵＥにオペレーション指示を送信し、ユーザ装置がオペレーション指示を受信すると、ユーザ装置は、オペレーション指示によるオペレーションを実行する。ネットワーク側はユーザ装置を制御してオペレーションを実行させ、ＵＥに登録、加入者データの有効化またはサービスデータの伝送などのオペレーションをいつでも実行させることができる。ＵＥまたはグループ内のＵＥは、休止状態あるいは未登録状態であってよく、多くのユーザ装置ＵＥによるネットワーク側への影響や衝撃を低減し、ネットワーク・リソースの利用率を大幅に改善することができると共に、現在のＭ２Ｍアプリケーションの要件を満たすことができる。オペレーション指示の発送や実行は人間の参加を必要としないので、オペレータやユーザに便利かつ効率的なサービスを提供する。
【０１３０】
言うまでもなく、本発明におけるユニット、モジュールもしくはステップは一般的なコンピュータデバイスで実行することができ、一つのコンピュータデバイスに組み込むこともでき、または複数のコンピュータデバイスにより構成されるネットワークに配信することもできることが、当業者には理解されよう。オプションとして、本発明はコンピュータ装置により実行可能なプログラムコードで実行することができ、したがって、記憶装置に保存した後、コンピュータ装置で実行したり、個別の集積回路モジュールとして作製にしたりすることもでき、複数のユニットおよびモジュールもしくはステップを一つの集積回路モジュールにして実行することもできる。このように、本発明の実施形態は特定のハードウェアやソフトウェアの組合せに限定されない。
【０１３１】
上記の説明は、本発明の実施形態の一例を単に挙げたものであり、本発明の保護範囲を制限するものではない。本発明の原理や精神を逸脱することなく変更したり、同等物と置換したり、また改良することができ、それらはすべて本発明の実施形態の保護範囲に含まれるものとする。
【誤訳訂正２】
【訂正対象書類名】特許請求の範囲
【訂正対象項目名】全文
【訂正方法】変更
【訂正の内容】
【特許請求の範囲】
【請求項１】
ユーザ装置ＵＥもしくはグループ内のユーザ装置ＵＥが、ネットワーク側から送信されるオペレーション指示を含む情報を受信し、前記オペレーション指示が、前記ユーザ装置ＵＥもしくはグループ内のユーザ装置ＵＥに登録の実行を指示する指示、または前記ユーザ装置ＵＥもしくはグループ内のユーザ装置ＵＥにサービスデータの伝送を指示する指示の少なくとも一つを含み、前記ユーザ装置ＵＥもしくはグループ内のユーザ装置ＵＥにサービスデータの伝送を指示する指示が、前記ユーザ装置ＵＥもしくはグループ内のユーザ装置ＵＥにネットワーク・リソースを作成又は変更するためのセッション管理プロセスを開始させる指示を指し、
前記ユーザ装置ＵＥまたはグループ内のユーザ装置ＵＥが受信したオペレーション指示にしたがってオペレーションを実行すること、
を含むことを特徴とするマシン間通信（Ｍ２Ｍ）アプリケーションのユーザ装置のオペレーション制御方法。
【請求項２】
前記オペレーション指示が、前記ユーザ装置ＵＥもしくはグループ内のユーザ装置ＵＥに加入者データの有効化を指示する指示を更に含む、請求項１に記載のオペレーション制御方法。
【請求項３】
前記ユーザ装置ＵＥまたはグループ内のユーザ装置ＵＥが受信したオペレーション指示にしたがってオペレーションを実行することが、
前記ユーザ装置ＵＥまたはグループ内のユーザ装置ＵＥが、登録、加入者データの有効化、又はサービスデータの伝送の実行をトリガすることを含む、請求項２に記載のオペレーション制御方法。
【請求項４】
前記オペレーション指示を含む情報が更に時間を含み、前記ユーザ装置ＵＥまたはグループ内のユーザ装置ＵＥが受信したオペレーション指示にしたがってオペレーションを実行することが、前記ユーザ装置またはグループ内のユーザ装置ＵＥが前記時間に、登録、加入者データの有効化、またはサービスデータの伝送の実行を開始することを含むか、
前記オペレーション指示を含む情報が更に時間帯を含み、前記ユーザ装置ＵＥまたはグループ内のユーザ装置ＵＥが受信したオペレーション指示にしたがってオペレーションを実行することが、前記ユーザ装置またはグループ内のユーザ装置ＵＥが前記時間帯に、登録、加入者データの有効化、またはサービスデータの伝送の実行を開始することを含むか、または
前記オペレーション指示を含む情報が更に、イベントを含み、前記ユーザ装置ＵＥまたはグループ内のユーザ装置ＵＥが受信したオペレーション指示にしたがってオペレーションを実行することが、ユーザ装置またはグループ内のユーザ装置ＵＥが前記イベントに応じて、登録、加入者データの有効化、またはサービスデータの伝送の実行をトリガすることを含むことを特徴とする請求項３に記載のオペレーション制御方法。
【請求項５】
前記ユーザ装置ＵＥまたはグループ内のユーザ装置ＵＥが、ネットワーク側が送信した公衆移動体網（ＰＬＭＮ）識別子を受信することを更に含み、
前記ユーザ装置ＵＥまたはグループ内のユーザ装置ＵＥが受信したオペレーション指示にしたがってオペレーションを実行することが、前記ユーザ装置ＵＥまたはグループ内のユーザ装置ＵＥが、前記ＰＬＭＮ識別子に対応する移動通信ネットワークにおいてオペレーションを実行することを含むことを特徴とする請求項１〜４のいずれか一項に記載のオペレーション制御方法。
【請求項６】
ネットワーク側から前記オペレーション指示を前記ユーザ装置ＵＥもしくはグループ内のユーザ装置ＵＥに送信することが、
ブロードキャスト／マルチキャスト−サービス・センタ（ＢＭ−ＳＣ）がサーバからのオペレーション指示要求を受信し、
前記ＢＭ−ＳＣが、前記ユーザ装置ＵＥまたはグループ内のユーザ装置ＵＥの位置情報にしたがってマルチメディア・ブロードキャスト／マルチキャスト−サービス・ゲートウェイ（ＭＢＭＳ−ＧＷ）を選択し、要求メッセージを前記ＭＢＭＳ−ＧＷに送信し、
前記ＭＢＭＳ−ＧＷが、前記ユーザ装置ＵＥまたはグループ内のユーザ装置ＵＥの位置情報にしたがってマルチメディア・ブロードキャスト／マルチキャスト−サービス（ＭＢＭＳ）制御プレーン・エンティティまたはＭＢＭＳ制御プレーン・エンティティ・リストを検知し、前記ＭＢＭＳ制御プレーン・エンティティまたは前記ＭＢＭＳ制御プレーン・エンティティ・リスト内のすべてのＭＢＭＳ制御プレーン・エンティティ・リストにマルチキャスト・アドレスを割り当て、前記要求メッセージを送信し、
前記ＭＢＭＳ制御プレーン・エンティティが、アクセス・ネットワーク要素を通じて前記ＵＥまたはグループ内のＵＥにオペレーション指示を送信すること、
を更に含むことを特徴とする請求項１〜５のいずれか一項に記載のオペレーション制御方法。
【請求項７】
ネットワーク側から前記オペレーション指示を前記ユーザ装置ＵＥもしくはグループ内のユーザ装置ＵＥに送信することが、
サーバがユーザ装置ＵＥまたはグループ内のＵＥにサービス提供するセル・ブロードキャスト・エンティティ（ＣＢＥ）を検知し、前記ＣＢＥにオペレーション指示要求を送信し、
前記ＣＢＥがサーバから前記オペレーション指示要求を受信し、前記ＵＥまたはグループ内のＵＥの位置情報にしたがってセル・ブロードキャスト・センタ（ＣＢＣ）を選択し、前記ＣＢＣにオペレーション指示要求を送信し、
前記ＣＢＣが、ＣＢＥからのオペレーション指示要求を受信し、前記ユーザ装置ＵＥまたはグループ内のＵＥの位置情報にしたがってモビリティ管理ネットワーク要素あるいはモビリティ・管理ネットワーク要素識別子リスト内のすべてのモビリティ管理ネットワーク要素を判定し、判定した前記モビリティ管理ネットワーク要素あるいはモビリティ管理ネットワーク要素識別子リスト内のすべてのモビリティ管理ネットワーク要素に前記オペレーション指示要求を送信し、
前記モビリティ管理ネットワーク要素またはモビリティ管理ネットワーク要素識別子リスト内のすべてのモビリティ管理ネットワーク要素が、アクセス・ネットワーク要素を通じて前記ユーザ装置ＵＥまたはグループ内のＵＥに前記オペレーション指示を送信すること、
を含むことを特徴とする請求項１〜５のいずれか一項に記載のオペレーション制御方法。
【請求項８】
ネットワーク側から前記オペレーション指示を前記ユーザ装置ＵＥもしくはグループ内のユーザ装置ＵＥに送信することが、
前記ユーザ装置ＵＥまたはグループ内のユーザ装置ＵＥの位置情報に応じて利用可能なモビリティ管理ネットワーク要素識別子リスト、または利用可能なモビリティ管理ネットワーク要素を判定し、
前記オペレーション指示を、前記利用可能なモビリティ管理ネットワーク要素識別子リスト内のすべてのモビリティ管理ネットワーク要素、又は前記利用可能なモビリティ管理ネットワーク要素に送信し、
前記利用可能なモビリティ管理ネットワーク要素識別子リスト内のすべてのモビリティ管理ネットワーク要素又は前記利用可能なモビリティ管理ネットワーク要素が、アクセス・ネットワーク要素を通じて前記ユーザ装置ＵＥまたはグループ内のユーザ装置ＵＥにオペレーション指示を送信すること、
を含むことを特徴とする請求項１〜５のいずれか一項に記載のオペレーション制御方法。
【請求項９】
ネットワーク側が前記オペレーション指示を前記ユーザ装置ＵＥまたはグループ内のユーザ装置に、ページング要求メッセージを使用する方法、非アクセス層（ＮＡＳ）メッセージを使用する方法、のうち少なくとも一つで送信することを特徴とする請求項８に記載のオペレーション制御方法。
【請求項１０】
ネットワーク側が前記オペレーション指示を前記ユーザ装置ＵＥまたはグループ内のユーザ装置に、オープンモバイルアライアンスデバイス管理（ＯＭＡ  ＤＭ）方式を使用する方法、Ｏｖｅｒ−Ｔｈｅ−Ａｉｒ（ＯＴＡ）を使用する方法、のうち少なくとも一つで送信することを特徴とする請求項１〜５のいずれか一項に記載のオペレーション制御方法。
【請求項１１】
前記ネットワーク側が前記オペレーション指示を含む情報を送信した後、送信した前記オペレーション指示をユーザ装置ＵＥまたはグループ内のＵＥが所定の時間内に受信していないことが判明した場合、
前記ユーザ装置ＵＥまたはグループ内のＵＥの対応する状態を設定し、前記状態が、非登録状態、加入者データ非有効化状態、およびサービス非開始状態のうち少なくとも一つを含むこと、
前記ネットワーク側が前記ユーザ装置ＵＥまたはグループ内のＵＥに前記オペレーション指示を含む情報を再送すること、
の少なくとも一方を更に含むことを特徴とする請求項１〜１０のいずれか一項に記載のオペレーション制御方法。
【請求項１２】
サーバがオペレーション指示要求メッセージを送信した後、タイマを設定することと、
前記タイマに設定された時間内に、モビリティ管理ネットワーク要素が送信したオペレーション指示応答メッセージを前記サーバが受信しない場合、または
モビリティ管理ネットワーク要素が送信したオペレーション指示応答メッセージを前記サーバが受信し、前記応答メッセージが、前記ＵＥまたはグループ内のＵＥが前記オペレーション指示を受信していないことを示す指示情報を含む場合、又は
所定の時間に、対応する前記ＵＥまたはグループ内のＵＥが送信する、オペレーション指示を受信したことを示す確認情報をサーバが受け取っていない場合、
前記サーバが、前記オペレーション指示が前記対応するＵＥまたはグループ内のＵＥに送られていないと判定すること、
を更に含むことを特徴とする請求項１〜１１のいずれか一項に記載のオペレーション制御方法。
【請求項１３】
受信した前記オペレーション指示が公衆移動体網（ＰＬＭＮ）識別子である場合、前記ユーザ装置ＵＥまたはグループ内のユーザ装置ＵＥが前記ＰＬＭＮ識別子に対応する移動通信ネットワークにおいて登録することを特徴とする請求項１〜１２のいずれか一項に記載のオペレーション制御方法。
【請求項１４】
ネットワーク側から送信されるオペレーション指示を含む情報を受信するように構成され、前記オペレーション指示が、ＵＥもしくはグループ内のＵＥに登録の実行を指示する指示、またはユーザ装置ＵＥもしくはグループ内のＵＥにサービスデータの伝送を指示する指示の少なくとも一つを含み、前記ユーザ装置ＵＥもしくはグループ内のユーザ装置ＵＥにサービスデータの伝送を指示する指示が、前記ユーザ装置ＵＥもしくはグループ内のユーザ装置ＵＥにネットワーク・リソースを作成又は変更するためのセッション管理プロセスを開始させる指示を指す、第一の受信ユニットと、
受信した前記オペレーション指示にしたがってオペレーションを実行するように構成されたオペレーティング・ユニットと、
を備えることを特徴とするマシン間通信（Ｍ２Ｍ）アプリケーションのユーザ装置。
【請求項１５】
前記オペレーション指示が、前記ユーザ装置ＵＥもしくはグループ内のＵＥに加入者データの有効化を指示する指示を更に含む、請求項１４に記載のユーザ装置。
【請求項１６】
前記オペレーション指示を含む情報がさらに、時間、時間帯、またはイベントを含み、
前記オペレーティング・ユニットが、前記時間、前記時間帯、または前記イベントをきっかけにオペレーションを実行し、
前記オペレーションが、登録、加入者データの有効化、およびサービスデータの伝送の少なくとも一つを含むことを特徴とする請求項１５に記載のユーザ装置。
【請求項１７】
前記ユーザ装置は、公衆移動体網（ＰＬＭＮ）識別子を取得するように構成された取得ユニットを更に備え、
前記オペレーティング・ユニットが前記ＰＬＭＮ識別子に対応する移動通信ネットワークにおいてオペレーションを実行することを特徴とする請求項１５又は１６に記載のユーザ装置。
【請求項１８】
Ｍ２Ｍユーザ装置ＵＥあるいはＭ２Ｍグループ内のユーザ装置にオペレーションの実行を指示するオペレーション指示要求を開始するように構成され、前記オペレーション指示が、前記Ｍ２Ｍユーザ装置ＵＥもしくはグループ内のＭ２Ｍユーザ装置ＵＥに登録の実行を指示する指示、または前記Ｍ２Ｍユーザ装置ＵＥもしくはグループ内のＭ２Ｍユーザ装置ＵＥにサービスデータの伝送を指示する指示の少なくとも一つを含み、前記Ｍ２Ｍユーザ装置ＵＥもしくはグループ内のＭ２Ｍユーザ装置ＵＥにサービスデータの伝送を指示する指示が、前記Ｍ２Ｍユーザ装置ＵＥもしくはグループ内のＭ２Ｍユーザ装置ＵＥにネットワーク・リソースを作成又は変更するためのセッション管理プロセスを開始させる指示を指す、情報生成ユニットと、
前記オペレーション指示を送信するように構成される送信ユニットと、を備えることを特徴とするサーバ。
【請求項１９】
前記オペレーション指示が、前記ユーザ装置ＵＥもしくはグループ内のユーザ装置ＵＥに加入者データの有効化を指示する指示を更に含む、請求項１８に記載のサーバ。
【請求項２０】
前記サーバは、前記ユーザ装置ＵＥまたはグループ内のユーザ装置ＵＥの位置情報に応じて、利用可能なモビリティ管理ネットワーク要素識別子リスト、または利用可能な一つのモビリティ管理ネットワーク要素を決定するように構成されたアドレス決定ユニットを更に備え、
前記送信ユニットが、前記オペレーション指示を、前記モビリティ管理ネットワーク要素識別子リスト内のすべてのモビリティ管理ネットワーク要素、又は前記利用可能な一つのモビリティ・管理・ネットワーク要素に送信するように構成されていることを特徴とする請求項１９に記載のサーバ。
【請求項２１】
請求項２０に記載のサーバと、
請求項１４〜１７のいずれか一項に記載のユーザ装置と、
を備えることを特徴とするユーザ装置のオペレーション制御システム。